(57)【特許請求の範囲】
【請求項１】
撮影レンズにより結像される被写体の像を撮像素子により画像信号に光電変換して撮影する撮像装置において、
前記撮像素子から得られる画像信号に基づいて、前記被写体の照明光源を推定する推定光源情報を生成する光源推定部と、
照明光のスペクトルを検出するための光源センサと、
前記スペクトルに基づいて、当該スペクトル及びそのスペクトルを検出した際の時刻を含む光源センサ情報を生成する光源センサ情報演算部と、
前記推定光源情報と前記光源センサ情報とに基づいて前記画像信号の色変換パラメータを演算する色変換パラメータ演算部と、
前記色変換パラメータを用いて前記画像信号を色変換処理する色変換処理部と、
を有することを特徴とする撮像装置。
【請求項２】
前記色変換パラメータ演算部は、
前記光源センサ情報と前記推定光源情報とに基づいて、前記被写体の光源情報を設定する光源設定部と、
前記設定された光源情報に基づいて前記色変換パラメータを演算するパラメータ演算部と、
を有することを特徴とする請求項１に記載の撮像装置。
【請求項３】
前記推定光源情報は、輝度、色温度、または、スペクトルを含むことを特徴とする請求項１または２に記載の撮像装置。
【請求項４】
前記光源センサ情報は、輝度または色温度を含むことを特徴とする請求項１，２または３に記載の撮像装置。
【請求項５】
複数の光源モードから１つの光源モードを選択して設定する光源モード設定部を、さらに有し、
前記色変換パラメータ演算部は、前記設定された光源モードに応じて色変換パラメータを演算することを特徴とする請求項２に記載の撮像装置。
【請求項６】
前記色変換パラメータ演算部は、前記設定された光源モードに応じて、前記光源設定部で前記光源情報を設定する際に用いる処理データを選択する処理データ選択部を、さらに有することを特徴とする請求項５に記載の撮像装置。
【請求項７】
前記光源センサは、本体と着脱自在に構成され、かつ、前記光源センサ情報をワイヤレスにより送信する手段を備える、ことを特徴とする請求項１〜６のいずれか一項に記載の撮像装置。
【発明の詳細な説明】
【技術分野】
【０００１】
本発明は、撮影レンズにより結像される被写体の像を撮像素子により画像信号に光電変換して撮影する撮像装置に関するものである。
【背景技術】
【０００２】
この種の撮像装置は、デジタルカメラと呼称されて普及している。また、近年のデジタルカメラは、解像度だけでなく、色再現性についても向上してきている。例えば、照明光の照度、色温度、スペクトル等の光源センサ情報を検出する光源センサをカメラに接続して、撮影時の光源センサ情報を検出し、その検出した光源センサ情報に基づいて、被写体の画像信号を色変換処理することにより、被写体の色再現性を向上させるようにしたものが知られている（例えば、特許文献１参照）。
【０００３】
【特許文献１】特開２００５−２６０４８０号公報
【発明の開示】
【発明が解決しようとする課題】
【０００４】
しかしながら、本発明者らによる検討によると、上記特許文献１に開示の撮像装置には、以下に説明するような改良すべき点があることが判明した。すなわち、図１３（ａ）に示す屋外撮影のように、カメラ１１０に接続された光源センサ１１１と、被写体１１２とに、同じ光源（この場合は、太陽）からの照明光が入射している場合は、問題なく、被写体の色再現性を向上することができる。
【０００５】
ところが、図１３（ｂ）に示すスタジオ撮影のように、被写体１１２を照明する照明ライト１１３からの照明光が光源センサ１１１に入射しない場合や、図１３（ｃ）に示すように、屋外の日陰にいる被写体１１２を、屋内から撮影する場合のように、光源センサ１１１に太陽光以外の屋内の照明光が入射する場合は、光源センサ１１１の情報を信じて色変換処理すると、色が大きく異なってしまうことがある。
【０００６】
したがって、かかる点に鑑みてなされた本発明の目的は、より正確な色再現を実現できるように適切に構成した撮像装置を提供することにある。
【課題を解決するための手段】
【０００７】
上記目的を達成する請求項１に係る撮像装置の発明は、撮影レンズにより結像される被写体の像を撮像素子により画像信号に光電変換して撮影する撮像装置において、
前記撮像素子から得られる画像信号に基づいて、前記被写体の照明光源を推定する推定光源情報を生成する光源推定部と、
照明光のスペクトルを検出するための光源センサと、
前記スペクトルに基づいて、当該スペクトル及びそのスペクトルを検出した際の時刻を含む光源センサ情報を生成する光源センサ情報演算部と、
前記推定光源情報と前記光源センサ情報とに基づいて前記画像信号の色変換パラメータを演算する色変換パラメータ演算部と、
前記色変換パラメータを用いて前記画像信号を色変換処理する色変換処理部と、
を有することを特徴とするものである。
【０００８】
請求項２に係る発明は、請求項１に記載の撮像装置において、
前記色変換パラメータ演算部は、
前記光源センサ情報と前記推定光源情報とに基づいて、前記被写体の光源情報を設定する光源設定部と、
前記設定された光源情報に基づいて前記色変換パラメータを演算するパラメータ演算部と、
を有することを特徴とするものである。
【０００９】
請求項３に係る発明は、請求項１または２に記載の撮像装置において、
前記推定光源情報は、輝度、色温度、または、スペクトルを含むことを特徴とするものである。
【００１０】
請求項４に係る発明は、請求項１，２または３に記載の撮像装置において、
前記光源センサ情報は、輝度または色温度を含むことを特徴とするものである。
【００１１】
請求項５に係る発明は、請求項２に記載の撮像装置において、
複数の光源モードから１つの光源モードを選択して設定する光源モード設定部を、さらに有し、
前記色変換パラメータ演算部は、前記設定された光源モードに応じて色変換パラメータを演算することを特徴とするものである。
【００１２】
請求項６に係る発明は、請求項５に記載の撮像装置において、
前記色変換パラメータ演算部は、前記設定された光源モードに応じて、前記光源設定部で前記光源情報を設定する際に用いる処理データを選択する処理データ選択部を、さらに有することを特徴とするものである。
さらに、請求項７に係る発明は、請求項１〜６のいずれか一項に記載の撮像装置において、
前記光源センサは、本体と着脱自在に構成され、かつ、前記光源センサ情報をワイヤレスにより送信する手段を備える、ことを特徴とするものである。
【発明の効果】
【００１３】
本発明によれば、撮像素子から得られる画像信号に基づいて推定した推定光源情報と、光源センサで検出した照明光のスペクトルによる光源センサ情報とに基づいて、画像信号を色変換する色変換パラメータを演算するようにしたので、より正確な色再現を実現することが可能となる。
【発明を実施するための最良の形態】
【００１４】
以下、本発明の実施の形態について、図を参照して説明する。
【００１５】
図１は、本発明の一実施の形態に係る撮像装置の要部の概略構成を示す図である。この撮像装置１１は、デジタル一眼レフカメラで、図示しないレリーズボタンが操作されていない非撮影時には、図示しない被写体の像を撮影レンズ１２により跳ね上げミラー１３を介してフォーカシングスクリーン１４に結像し、その被写体像を、ファインダー光学系１５を介して観察可能にしている。また、レリーズボタンが操作された撮影時には、跳ね上げミラー１３を跳ね上げて、被写体像を撮像素子１６上に結像して画像信号に光電変換し、その画像信号を信号処理部１７に供給する。なお、撮像素子１６は、図示しないが、その入射面側に、例えばベイヤー配列された赤（Ｒ），緑（Ｇ），青（Ｂ）のカラーフィルタを有しており、ＲＧＢの３バンドの画像信号を信号処理部１７に供給するようになっている。
【００１６】
撮像装置１１は、カメラ周辺の照明光のスペクトルを検出する光源センサ１８を有し、その出力は信号処理部１７に供給する。信号処理部１７は、後述する光源モードに応じて、撮像素子１６から得られた画像信号に基づいて推定光源情報を生成し、その推定光源情報と光源センサ１８の出力とに基づいて画像信号を色変換して、その色変換した画像信号をＬＣＤ等のモニタ１９に供給して表示するとともに、画像記憶部２０に供給して記憶する。なお、信号処理部１７における光源モードは、操作設定ボタン２１を介してユーザにより設定可能とする。
【００１７】
図２は、図１に示した光源センサ１８の一例の構成を示す図で、図２（ａ）は概略断面図、図２（ｂ）は部分平面図である。図２（ａ）に示すように、光源センサ１８は、４×４画素の２次元アレイセンサ２５と、その上に配置した色フィルタ２６および積分球２７とを有する。色フィルタ２６は、４×４画素の２次元アレイセンサ２５に対応して、図２（ｂ）に示すように、４×４の異なる色フィルタを有して構成する。これにより、光源センサ１８は、撮像装置１１の周辺の照明光を、積分球２７および色フィルタ２６を介して２次元アレイセンサ２５で受光して、１６色のスペクトル情報を信号処理部１７に供給する。
【００１８】
図３は、図１に示した信号処理部１７の要部の構成を示す機能ブロック図である。信号処理部１７は、光源推定部３１、光源センサ情報演算部３２、色変換パラメータ演算部３３、色変換処理部３４および画像処理部３５を有する。
【００１９】
光源推定部３１は、撮像素子１６からの画像信号に基づいて、被写体の照明光源を推定する推定光源情報を生成するもので、図４に示すように、輝度演算部４１、Ｒ／Ｇ演算部４２、Ｂ／Ｇ演算部４３、色温度推定部４４およびスペクトル推定部４５を有する。ここで、輝度演算部４１は、画像信号の輝度Ｌｐを演算し、その結果を色変換パラメータ演算部３３に供給する。Ｒ／Ｇ演算部４２は、画像信号のうち、Ｒ信号およびＧ信号を用いてＲ／Ｇを演算し、その結果を色温度推定部４４に供給する。同様に、Ｂ／Ｇ演算部４３は、画像信号のうち、Ｂ信号およびＧ信号を用いてＢ／Ｇを演算し、その結果を色温度推定部４４に供給する。
【００２０】
色温度推定部４４は、Ｒ／Ｇ演算部４２およびＢ／Ｇ演算部４３からの出力を用いて、従来のオートホワイトバランス処理で行っているように、画像信号の色度値に基づいて、使用されている光源（太陽光、蛍光灯、ハロゲン等）を推定する色温度Ｔｐを演算し、その結果を色変換パラメータ演算部３３に供給するとともに、スペクトル指定部４５に供給する。スペクトル指定部４５は、色温度推定部４４からの色温度Ｔｐに基づいて、当該画像信号のスペクトルＳｐ（λ）を推定し、その結果を色変換パラメータ演算部３３に供給する。すなわち、本実施の形態では、光源推定部３１において、撮像素子１６からの画像信号に基づいて、輝度Ｌｐ、色温度ＴｐおよびスペクトルＳｐ（λ）を演算し、これらを被写体の照明光源を推定する推定光源情報として、色変換パラメータ演算部３３に供給する。
【００２１】
図３において、光源センサ情報演算部３２は、光源センサ１８から得られる照明光のスペクトルに基づいて、当該スペクトルを含む光源センサ情報を生成するもので、図５に示すように、輝度演算部５１および色温度演算部５２を有する。ここで、輝度演算部５１は、光源センサ１８からのスペクトルＳｑ（λ）に基づいて輝度Ｌｑを演算し、その結果を色変換パラメータ演算部３３に供給する。
【００２２】
また、色温度演算部５２は、光源センサ１８からのスペクトルＳｑ（λ）に基づいて、光源センサ１８に入射する照明光の光源を推定する色温度Ｔｑを公知の方法で演算し、その結果を色変換パラメータ演算部３３に供給する。すなわち、本実施の形態では、光源センサ情報演算部３２において、光源センサ１８からのスペクトルＳｑ（λ）に基づいて、輝度Ｌｑおよび色温度Ｔｑを演算し、これらスペクトルＳｑ（λ）、輝度Ｌｑおよび色温度Ｔｑを、光源センサ情報として色変換パラメータ演算部３３に供給する。
【００２３】
色変換パラメータ演算部３３は、光源推定部３１からの推定光源情報と、光源センサ情報演算部３２からの光源センサ情報とに基づいて、撮像素子１６からの画像信号の色変換に用いる色変換パラメータを演算するもので、光源モード設定部５５、処理データ選択部５６、光源設定部５７およびパラメータ演算部５８を有する。光源モード設定部５５は、図１に示した表示部１９に、複数の光源モードを有する光源モード設定メニューを表示し、その光源モード設定メニューのなかから、操作設定ボタン２１の操作に基づいて設定された光源モードを、処理データ選択部５６および光源設定部５７に通知する。本実施の形態では、光源モード設定メニューとして、図６に示すメニューを表示して、一つの光源モードを設定する。なお、図６において、標準モードは、例えばデフォルトで設定されるようになっている。
【００２４】
処理データ選択部５６は、光源モード設定部５５で設定された光源モードに応じて、光源設定部５７での後述する光源情報の設定処理で使用する処理データを選択して、光源設定部５７に供給する。本実施の形態では、処理データとして、設定シーン情報、カメラ情報、選択光源情報のなかから、設定された光源モードに応じて所要の処理データを選択する。
【００２５】
ここで、設定シーン情報は、ユーザによって設定されるシーンモードの情報で、シーンモードとしては、例えば、ポートレート、風景、風景＆人物、夜景、夜景＆人物、チャイルド、スポーツ、ハイキー、ローキー、ぶれ軽減、マクロ、ネイチャーマクロ、キャンドル、夕日、打ちしげ花火、文書、パノラマ、ビーチ＆スノー、水中ワイド、水中マクロ等のなかから、所望の一つが設定される。カメラ情報は、撮影レンズ１２のフォーカス位置を含む撮像装置１１の情報である。また、選択光源情報は、光源モードとして「光源選択モード」で選択された場合に、ユーザにより設定される選択光源情報で、例えば、「オート」、「ハロゲン」、「蛍光灯」、「太陽光」等のなかから、所望の一つが設定される。
【００２６】
光源設定部５７は、光源モード設定部５５で設定された光源モードに応じて、光源推定部３１からの推定光源情報、光源センサ情報演算部３２からの光源センサ情報、処理データ選択部５６で選択された処理データ、に基づいて被写体の光源情報Ｓ（λ）を設定し、その設定した光源情報Ｓ（λ）をパラメータ演算部５８に供給する。本実施の形態では、設定された光源モードに応じて、図７に示す情報を用いて光源情報Ｓ（λ）を設定する。
【００２７】
すなわち、「標準モード」では、光源推定部３１からの推定光源情報、光源センサ情報演算部３２からの光源センサ情報、処理データ選択部５６で選択されたカメラ情報に基づいて光源情報Ｓ（λ）を設定する。「設定シーン連動モード」では、既にユーザにより設定され、処理データ選択部５６で選択された設定シーン情報に応じて、光源推定部３１からの推定光源情報、または、光源センサ情報演算部３２からの光源センサ情報のいずれかを選択して、選択した情報に基づいて光源情報Ｓ（λ）に設定する。例えば、「風景」のシーンモードが選択されている場合は、推定光源情報を選択して、そのスペクトルＳｐ（λ）を光源情報Ｓ（λ）として設定する。また、「ＡＷＢモード」すなわち「オートホワイトバランスモード」では、光源センサ情報を用いることなく、従来の場合と同様に、推定光源情報のスペクトルＳｐ（λ）を光源情報Ｓ（λ）として設定する。
【００２８】
また、「ＭＡＮＵＡＬ」のモードでは、ユーザが意識して光源センサ１８を用いるか否かを決める。例えば、「光源センサモード」は、常に光源センサ１８を利用する場合に設定されるモードで、このモードでは、光源センサ１８により得られる光源センサ情報、特に、撮影と同時に得られる光源センサ情報のスペクトルＳｑ（λ）を光源情報Ｓ（λ）として設定する。
【００２９】
「ワンタッチ光源センサモード」は、例えば、撮影前などに本撮影とは別個に被写体付近に撮像装置１１を移動して、光源センサ１８を用いてワンタッチで光源センサ情報を取得する場合に設定されるモードで、このモードでは、ワンタッチで取得した光源センサ情報のスペクトルＳｑ（λ）を光源情報Ｓ（λ）として設定する。したがって、この「ワンタッチ光源センサモード」は、例えば、スタジオにて商品撮影を行う場合のように、被写体のみに照明が照射される場合に有効である。すなわち、スタジオ撮影では、通常、カメラマンは、露出計を被写体のそばに持っていき、露出量を決めているので、それと同様に、光源センサ１８にて被写体に照射される照明光のスペクトルＳｑ（λ）を検出することが有効となる。なお、この場合、光源センサ１８は、撮像装置１１と別体として、撮像装置１１と通信可能に構成するのが好ましい。
【００３０】
「光源選択モード」は、被写体を照明する光源をユーザが選択する場合のモードで、このモードでは、選択された光源の情報である選択光源情報を光源情報Ｓ（λ）として設定する。「ワンタッチＷＢモード」は、ユーザが被写体の撮影前に、例えば白い紙を撮像し、この撮像した紙の白を基準としてＷＢの調整を行う場合に設定されるモードで、このモードでは、撮像素子１６からの画像信号に基づいて、光源推定部３１から得られるスペクトルＳｐ（λ）を光源情報Ｓ（λ）として設定する。
【００３１】
図３において、パラメータ演算部５８は、光源設定部５７からの設定光源情報Ｓ（λ）、光源推定部３１からの推定光源情報、撮像素子１６の分光感度、色空間情報等に基づいて、公知の方法で色変換パラメータを演算する。ここで、色変換パラメータは、例えばマトリクスの係数で、本実施の形態におけるように画像信号が３バンドの場合は、３×３のマトリクスの係数となるが、画像信号が例えば６バンドの場合は、６×３のマトリクスの係数となる。パラメータ演算部５８は、算出した色変換パラメータを色変換処理部３４に供給する。
【００３２】
色変換処理部３４は、撮像素子１６からの画像信号を、パラメータ演算部５８で算出された色変換パラメータを用いて色変換して画像処理部３５に供給する。画像処理部３５は、色変換処理部３４で色変換処理された画像信号を、表示用に処理して表示部１９に表示するとともに、圧縮処理等の所要の画像処理を施して画像記憶部２０に記憶する。
【００３３】
次に、光源モード設定部５５において、光源モードとして、「標準モード」が設定された場合の光源設定部５７による光源情報Ｓ（λ）の設定処理について、図８に示すフローチャートを参照して説明する。
【００３４】
「標準モード」での撮影では、先ず、光源推定部３１から供給される被写体照明光の色温度Ｔｐと光源センサ情報演算部３２から得られる光源センサ１８に入射した照明光の色温度Ｔｑとの差の絶対値｜Ｔｐ−Ｔｑ｜が、所定値α未満か否かを判定する（ステップＳ１１）。その結果、所定値α未満の場合、すなわち両者の色温度がほぼ等しい場合は、被写体および光源センサ１８には、ほぼ同様な照明光が照射されていると考えられるので、この場合は、スペクトル情報量の多い光源センサ１８によるスペクトルＳｑ（λ）を光源情報Ｓ（λ）として設定する。
【００３５】
これに対し、ステップＳ１１で絶対値｜Ｔｐ−Ｔｑ｜が所定値α以上の場合は、次に、光源推定部３１から供給される被写体照明光の輝度Ｌｐと光源センサ情報演算部３２から得られる光源センサ１８に入射した照明光の輝度Ｌｑとの差の絶対値｜Ｌｐ−Ｌｑ｜が、所定値βを超えるか否かを判定する（ステップＳ１２）。その結果、所定値βを超える場合は、さらに、両者の大小関係を判定して（ステップＳ１３）、輝度の高い方のスペクトルを用いる。すなわち、Ｌｐ＞Ｌｑの場合は、被写体照明光のスペクトルＳｐ（λ）を光源情報Ｓ（λ）として設定し、Ｌｐ＜Ｌｑの場合は、光源センサ１８によるスペクトルＳｑ（λ）を光源情報Ｓ（λ）として設定する。
【００３６】
一方、ステップＳ１２において、絶対値｜Ｌｐ−Ｌｑ｜が所定値β以下の場合は、被写体照明光のスペクトルＳｐ（λ）と、光源センサ１８によるスペクトルＳｑ（λ）との双方を用いて、光源情報Ｓ（λ）を、例えば、Ｓ（λ）＝ｖＳｐ（λ）＋（１−ｖ）Ｓｑ（λ）、により演算して設定する。ここで、ｖは、Ｓｐ（λ）およびＳｑ（λ）のバランス係数で、０＜ｖ＜１であり、処理データ選択部５６からのカメラ情報を用いて演算する。例えば、カメラ情報のフォーカス値に基づいて、被写体が撮像装置１１からかなり離れている場合は、被写体照明光のスペクトルＳｐ（λ）を優先的に用い、被写体が近い場合は、光源センサ１８によるスペクトルＳｑ（λ）を優先的に用いるようにする。
【００３７】
本実施の形態によれば、光源モードを設定することにより、撮影シーンに最適な照明情報を用いた色変換処理を行うことができ、正確な色再現を実現することができる。特に、標準モードでは、色温度、輝度、という色補正に最も重要な特性を比較して最適な光源情報Ｓ（λ）を設定して、色変換パラメータを演算するので、より正しく色情報を求めることができ、より正確な色再現を実現することができる。したがって、画像処理部３５により、色強調やコントラスト変換等のいわゆる絵作り処理を行う場合は、元の画像の色が正確に求められているので、ユーザの感覚にマッチした画像処理を行うことができる。
【００３８】
なお、本発明は、上記実施の形態にのみ限定されるものではなく、幾多の変形または変更が可能である。例えば、被写体照明光のスペクトルＳｐ（λ）と、光源センサ１８によるスペクトルＳｑ（λ）との双方を用いて、光源情報Ｓ（λ）を設定する場合のバランス係数ｖは、カメラ情報に加えて、光源推定部３１による光源推定の信頼性をも考慮して演算することもできる。例えば、体育館のような高輝度放電ランプによる照明下では、光源推定部３１による光源推定の信頼性は一般に低いので、光源推定時に推定の信頼係数も算出し、信頼係数が低い場合は、推定光源情報のスペクトルＳｐ（λ）の重みを低くするようにバランス係数ｖを設定する。このようにすれば、光源情報Ｓ（λ）をより正確に設定できるので、さらに正確な色再現を実現することができる。
【００３９】
また、光源センサ１８は、撮像装置１１に直接設ける場合に限らず、ＵＳＢ等の所定のケーブルを介して撮像装置１１に接続することもできる。また、図９に示すように、撮像装置のワイヤレスリモコン６１に、光源センサ１８と同様の光源センサ６２を設けて、該光原センサ６２で検出されるスペクトル情報を、ワイヤレスで撮像装置に転送することもできる。
【００４０】
なお、図９において、ワイヤレスリモコン６１は、光源センサ６２、撮影ボタン６３、ズーム操作ボタン６４、フォーカス操作ボタン６５を有する他、送信モード設定ボタン６６を有している。送信モード設定ボタン６６は、撮影ボタン６３の操作により送信する情報を設定するもので、例えば、レリーズ情報とともに光源センサ６２で検出されるスペクトル情報を送信する第１送信モード、光源センサ６２で検出されるスペクトル情報のみを送信する第２送信モード、レリーズ情報のみを送信する第３送信モードから選択して設定するようにする。このように、ワイヤレスリモコン６１に光源センサ６２を設ければ、該ワイヤレスリモコン６１を撮像装置のカメラ本体に着脱自在とすることにより、カメラ本体の光源センサ１８を省略することもできる。
【００４１】
また、光源センサは、例えば、図１０に示すように、撮像装置１１と通信可能なリモート光源センサ７１として構成することもできる。このようにすれば、スタジオ撮影におけるように、撮像装置１１のシャッタ動作に同期して、撮像装置１１の送受信部７２を介してリモートフラッシュ７３を駆動してストロボ光を発光させて被写体７４を撮影する場合に、リモード光源センサ７１をストロボ光が入射する位置に載置した状態で、図１１に示すように、撮像装置１１のシャッタ動作と同期してリモート光源センサ７１による露光動作を開始させ、その露光動作の期間中に、リモートフラッシュ７３からストロボを発光させて、スペクトル情報を検出し、その検出したスペクトル情報を、撮影後に撮像装置１１に送信することができる。これにより、ストロボ撮影による実際の照明光の正確なスペクトル情報を取得することができるので、ストロボ撮影における色再現性をより向上することができる。
【００４２】
図１２は、図１０に示したリモート光源センサ７１の要部の一例の構成を示すブロック図である。このリモート光源センサ７１は、集光光学系８１、分光ユニット８２、アンプ８３、アナログ／デジタル（Ａ／Ｄ）変換部８４、信号補正部８５、メモリ８６、ＵＳＢインターフェース（ＵＳＢ  Ｉ／Ｆ）８７、ＩＤ情報制御部８８、時刻カウント部８９、温度センサ９０、ワイヤレス信号送受信部９１、ボタン操作部９２、全体を制御する光源センサ制御部９３を有する。
【００４３】
集光光学系８１は、照明光を集光して分光ユニット８２に入射する。分光ユニット８２は、回折格子９５およびラインセンサ９６を有し、回折格子９５により入射光を回折してラインセンサ９６で受光して、照明光のスペクトル情報を検出する。ラインセンサ９６は、例えば１２８画素からなり、蛍光灯の輝線スペクトルも正確に検出できるように、可視光を約４ｎｍ毎に検出するように構成する。ラインセンサ９６の出力は、アンプ８３で増幅された後、Ａ／Ｄ変換部８４でデジタル信号に変換されて信号補正部８５に供給される。
【００４４】
信号補正部８５は、減算器９７、乗算器９８およびルックアップテーブル（ＬＵＴ）９９を有する。減算器９７は、例えば暗電流ノイズ等のオフセット光を減算する。ここで、暗電流ノイズは、温度によって大きく変化するので、温度センサ９０の情報に応じて、減算する値を変えるようにする。乗算器９８は、画素ごとにゲイン係数を乗算して、ラインセンサ９６の感度ムラを補正する。ＬＵＴ９９は、ラインセンサ９６の非線形性を補正する。この信号補正部８５により、照明光のスペクトル情報を高精度で検出することができる。
【００４５】
信号補正部８５から出力されるスペクトル情報は、メモリ８６に保存される。この際、ＩＤ情報制御部８８は、時刻カウント部８９からの時刻情報をＩＤ情報として付加する。例えば、20080311104530.ilu、のように、年、月、日、時間、分、秒のようなＩＤ情報を付加して、ファイル名として保存する。
【００４６】
ワイヤレス信号送受信部９１は、撮像装置１１からのシャツタ信号を受信するとともに、ボタン操作部９２の操作に応じて、メモリ８６に保存されたスペクトル情報を撮像装置１１へ送信する。また、メモリ８６に保存されたスペクトル情報は、ＵＳＢ  Ｉ／Ｆ８７を介して、パーソナルコンピュータ（ＰＣ）１００や、撮像装置１１に送信する。
【００４７】
図１２に示したリモート光源センサ７１によれば、検出したスペクトル情報をメモリ８６に保存する際に、時刻情報をＩＤ情報として付加するようにしたので、撮像装置１１で撮影した画像情報と、リモート光源センサ７１で検出したスペクトル情報との対応関係を確実に一致させることができ、これにより色変換の際に用いるスペクトル情報を間違えることなく、正しい色変換を行うことが可能となる。または、撮影時に最も近い時刻の照明スペクトルを利用することができ、刻々と照明が変化する場合にも正しい色再現が可能となる。
【００４８】
また、図１に示した撮像装置１１では、非撮影時は、被写体の像をフォーカシングスクリーン１４に結像して、その被写体像を、ファインダー光学系１５を介して観察可能にしたが、ライブビュー用の撮像素子を設け、この撮像素子による撮像画像をモニタ１９にライブビューとして表示するように構成することもできる。さらに、本発明は、デジタル一眼レフカメラに限らず、デジタルコンパクトカメラにも有効に適用することができる。
【図面の簡単な説明】
【００４９】
【図１】本発明の一実施の形態に係る撮像装置の要部の概略構成を示す図である。
【図２】図１に示した光源センサの一例の構成を示す図である。
【図３】図１に示した信号処理部の要部の構成を示す機能ブロック図である。
【図４】図３に示した光源推定部の構成を示すブロック図である。
【図５】図３に示した光源センサ情報演算部の構成を示すブロック図である。
【図６】図３に示した光源モード設定部における光源モード設定メニューの一例を示す図である。
【図７】図３に示した光源設定部において、光源モードに応じて使用する情報を示す図である。
【図８】図３に示した光源設定部による「標準モード」時の動作を説明するためのフローチャートである。
【図９】光源センサをワイヤレスリモコンに設けた例を示す図である。
【図１０】光源センサをリモート光源センサとして構成した場合の使用例を示す図である。
【図１１】図１０の使用例による動作を説明するためのタイミング図である。
【図１２】図１０に示したリモート光源センサの要部の一例の構成を示すブロック図である。
【図１３】従来の課題を説明するための図である。
【符号の説明】
【００５０】
１１  撮像装置
１２  撮影レンズ
１３  跳ね上げミラー
１４  フォーカシングスクリーン
１５  ファインダー光学系
１６  撮像素子
１７  信号処理部
１８  光源センサ
１９  モニタ
２０  画像記憶部
２１  操作設定ボタン
２５  ２次元アレイセンサ
２６  色フィルタ
２７  積分球
３１  光源推定部
３２  光源センサ情報演算部
３３  色変換パラメータ演算部
３４  色変換処理部
３５  画像処理部
４１  輝度演算部
４２  Ｒ／Ｇ演算部
４３  Ｂ／Ｇ演算部
４４  色温度推定部
４５  スペクトル推定部
５１  輝度演算部
５２  色温度演算部
５５  光源モード設定部
５６  処理データ選択部
５７  光源設定部
５８  パラメータ演算部
【図１】
0005253000.tif 000002
【図２】
0005253000.tif 000003
【図３】
0005253000.tif 000004
【図４】
0005253000.tif 000005
【図５】
0005253000.tif 000006
【図６】
0005253000.tif 000007
【図７】
0005253000.tif 000008
【図８】
0005253000.tif 000009
【図９】
0005253000.tif 000010
【図１０】
0005253000.tif 000011
【図１１】
0005253000.tif 000012
【図１２】
0005253000.tif 000013
【図１３】
0005253000.tif 000014